(57)【要約】      （修正有）【課題】閉状態でも、分離状態でも識別上下方向が揃った両面名刺として機能し、折りたたみ型の名刺を提供する。【解決手段】折りたたみ型の名刺１００は、第１および第２のカード部１１０，１２０が長辺で連なり、長辺で折り曲げ可能である。第１のカード部１１０と第２のカード部１２０とは、開状態において、両一方の面を共通の面にして連なり、かつ、両他方の面を共通の面にして連なり、第１のカード部１１０は、長辺側を識別の上方向として、一方の面に少なくとも個人の名称が記載され、かつ、長辺側を識別の上方向として、他方の面に少なくとも他の情報が記載され、第２のカード部１２０は、長辺側を識別の上方向として、一方の面に少なくとも他の情報が記載され、かつ、長辺側を識別の下方向として、他方の面に他の情報が記載され、長辺は、第１のカード部１１０と第２のカード部１２０とを切断可能にするミシン目加工が施されている。【選択図】図２
2017149145.tif 000002
【特許請求の範囲】
【請求項１】
長方形の第１のカード部と、前記第１のカード部と略同一形状の第２のカード部とからなり、前記第１および前記第２のカード部が長辺で連なり、該長辺で折り曲げ可能な折りたたみ型の名刺であって、
前記第１のカード部と前記第２のカード部とは、開状態において、両一方の面を共通の面にして連なり、かつ、両他方の面を共通の面にして連なり、
前記第１のカード部は、前記長辺側を識別の上方向として、前記一方の面に少なくとも個人の名称が記載され、かつ、前記長辺側を識別の上方向として、前記他方の面に少なくとも他の情報が記載され、
前記第２のカード部は、前記長辺側を識別の上方向として、前記一方の面に少なくとも他の情報が記載され、かつ、前記長辺側を識別の下方向として、前記他方の面に他の情報が記載され、
前記長辺は、前記第１のカード部と前記第２のカード部とを切断容易にするミシン目加工が施されている、折りたたみ型の名刺。
【請求項２】
長方形の第１のカード部と、前記第１のカード部と略同一形状の第２のカード部とからなり、前記第１および前記第２のカード部が長辺で連なり、該長辺で折り曲げ可能な折りたたみ型の名刺であって、
前記第１のカード部と前記第２のカード部とは、開状態において、両一方の面を共通の面にして連なり、かつ、両他方の面を共通の面にして連なり、
前記第１のカード部は、前記長辺側を識別の下方向として、前記一方の面に少なくとも個人の名称が記載され、かつ、前記長辺側を識別の下方向として、前記他方の面に少なくとも他の情報が記載され、
前記第２のカード部は、前記長辺側を識別の下方向として、前記一方の面に少なくとも他の情報が記載され、かつ、前記長辺側を識別の上方向として、前記他方の面に他の情報が記載され、
前記長辺は、前記第１のカード部と前記第２のカード部とを切断容易にするミシン目加工が施されている、折りたたみ型の名刺。
【請求項３】
長方形の第１のカード部と、前記第１のカード部と略同一形状の第２のカード部とからなり、前記第１および前記第２のカード部が短辺で連なり、該短辺で折り曲げ可能な折りたたみ型の名刺であって、
前記第１のカード部と前記第２のカード部とは、開状態において、両一方の面を共通の面にして連なり、かつ、両他方の面を共通の面にして連なり、
前記第１のカード部は、前記短辺側を識別の上方向として、前記一方の面に少なくとも個人の名称が記載され、かつ、前記短辺側を識別の上方向として、前記他方の面に少なくとも他の情報が記載され、
前記第２のカード部は、前記短辺側を識別の上方向として、前記一方の面に少なくとも他の情報が記載され、かつ、前記短辺側を識別の下方向として、前記他方の面に他の情報が記載され、
前記短辺は、前記第１のカード部と前記第２のカード部とを切断容易にするミシン目加工が施されている、折りたたみ型の名刺。
【請求項４】
長方形の第１のカード部と、前記第１のカード部と略同一形状の第２のカード部とからなり、前記第１および前記第２のカード部が短辺で連なり、該短辺で折り曲げ可能な折りたたみ型の名刺であって、
前記第１のカード部と前記第２のカード部とは、開状態において、両一方の面を共通の面にして連なり、かつ、両他方の面を共通の面にして連なり、
前記第１のカード部は、前記短辺側を識別の下方向として、前記一方の面に少なくとも個人の名称が記載され、かつ、前記短辺側を識別の下方向として、前記他方の面に少なくとも他の情報が記載され、
前記第２のカード部は、前記短辺側を識別の下方向として、前記一方の面に少なくとも他の情報が記載され、かつ、前記短辺側を識別の上方向として、前記他方の面に他の情報が記載され、
前記短辺は、前記第１のカード部と前記第２のカード部とを切断容易にするミシン目加工が施されている、折りたたみ型の名刺。
【請求項５】
前記第１のカード部の前記一方の面は、閉状態にて、名刺が左右方向に反転されるように案内する案内表記を記載されている、請求項１〜４のいずれか一項に記載の折りたたみ型の名刺。
【発明の詳細な説明】
【技術分野】
【０００１】
本発明は、折りたたみ型の名刺に関し、特に詳細には、折目が切り取り容易に形成された折りたたみ型の名刺に関する。
【背景技術】
【０００２】
従来より、情報交換の手段として、名刺と称される矩形のカードを交換して個人の情報を交換する手段、すなわち名刺交換がある。名刺には、個人の名称、所属団体、電話番号、ＦＡＸ番号、ｅ−ｍａｉｌアドレス等の個人を特定する情報の他に、経験、保有資格、メッセージ等の付属情報が記載されていることもある。
【０００３】
このような名刺を交換することで交換相手の情報を保有することができ、名刺交換の後でも名刺を保管しておくことで交換相手に容易に連絡を取ることができる。名刺交換は、ビジネスにおいて一種の挨拶として常態化しており、日常的に繰り返され、日々、膨大な数の名刺が交換されて保管される。
【０００４】
名刺には、表面に個人を特定できる情報を記載し、裏面に付属情報等を記載しているものがある。このように表面と裏面の両面に情報の記載がある名刺(以下、「両面名刺」とも称する。)は、表面だけに情報が記載された名刺に比較して、情報の記載される面積が２倍となる。両面名刺では、一般に、短手方向を、記載された情報の識別の上下方向とし、表面と裏面とに記載された情報が識別の上下方向を同一にしている。これにより、名刺は、左右方向に回転させることで、表面と裏面とに記載された情報を、識別の上下方向を同一としたまま識別できる。
【０００５】
近年は、名刺に記載する情報量をさらに増やすべく、通常の２枚分の寸法で形成された、図１４および図１５に示すような折りたたみ型の名刺１がある。このような名刺１は、それぞれが、通常の名刺と同様の寸法の第１のカード部１０と第２のカード部２０とを備え、通常の名刺に比較して、２倍の面積を有し、記載できる情報が格段に増えるにも拘わらず、名刺交換時には、半分に折りたたんだ状態(以下、「閉状態」とも称する。)で渡すことで、通常の名刺と平面的に同一寸法の状態で受け渡すことができる。
【０００６】
また、このような折りたたみ型の名刺は、開状態で、一方の面１０ｆ，２０ｆにおいて、各カード部１０，２０の識別の上下方向を逆にしており(図１４(A)を参照)、他方の面１０ｒ，２０ｒにおいて、各カード部１０，２０の識別の上下方向を同一にしている(図１４(B)を参照)。これにより、一方の面が表側になるように折りたたんだ状態(図９を参照)で、表面と裏面とに記載された情報の識別の上下方向を同一としており、両面名刺として機能する。
【０００７】
さらに、閉状態で、個人を特定する情報の記載されたカード部１０の一方の面１０ｆを表面として名刺交換をした後、名刺を開状態とすると、カード部１０およびカード部２０の他方の面１０ｒ，２０ｒが識別の上下方向を同一に、かつ正常な識別方向とした状態(図９(B)の上下反対の状態)となる。これにより、名刺交換時に、閉状態、開状態でそれぞれ正常な識別方向を維持することができる。
【０００８】
ところで、昨今は、名刺に記載された情報を電子データとして管理する場合もあり、スキャナ等の電子データ化装置に名刺を読み込ませることがある。しかし、上記のような折りたたみ型の名刺は、両面名刺等の折りたたまない名刺に比較して厚さが２倍となるため、名刺を送り出して読み込ませるタイプの電子データ化装置では、送り出しが適切にできず、正確に情報を読み込めないことや、電子データ化装置に詰まってしまうことがあった。
【０００９】
そこで、電子データ化装置に通す時に折りたたみ型の名刺を折目に沿って切断することが考えられる。そのようにすれば、切断されたカードのうち、個人を特定できる情報が記載された一方のカードを電子データ化装置に通すことで、円滑にデータ化の作業が行える。
【００１０】
切断することを考慮した名刺として、上記した折りたたみ型の名刺１とは異なるが、名刺紙片に、パンフレットやサービス券として用いることのできる他の紙片を連結した名刺(以下、「多枚名刺」とも称する。)が考案されている(特許文献１)。この名刺は、名刺紙片と、パンフレットやサービス券として用いられる複数の他の紙片と、これらを連結する連結部からなり、各連結部にミシン目加工を施し、切り取り容易にしている。この多枚名刺は、多数枚の紙片を用いることでより多くの情報を記載できるようになっている。
【００１１】
しかし、特許文献１のような名刺は、あくまでも名刺紙片に他の紙片が連結されるもので、全体として名刺として機能させることは考えられていない。したがって、折りたたまれた状態で、識別の上下方向が一致するように、すなわち、閉状態で両面名刺として機能するように情報を記載する方向を決定することは想定されていない。
【００１２】
さらに、折りたたみ型の名刺１を特許文献１に記載の名刺のように切り取り容易としたとしても、折りたたみ型の名刺１では、第１のカード部１０と、第２のカード部２０とを切り離して分離すると、第１のカード部１０の一方の面１０ｆと他方の面１０ｒとが識別の上下方向を逆となり、両面名刺として機能しない。
【先行技術文献】
【特許文献】
【００１３】
【特許文献１】実開昭６０−３２０７７号公報
【発明の概要】
【発明が解決しようとする課題】
【００１４】
以上のように、分離可能な折りたたみ型の名刺において、閉状態でも、分離した状態でも両面名刺として機能する名刺は存在しなかった。
【００１５】
本発明は、上記の問題点を解決すべくなされたもので、折りたたみ可能かつ、切り離し可能な名刺であって、閉状態でも、分離状態でも識別上下方向が揃った両面名刺として機能する折りたたみ型の名刺を提供する。
【課題を解決するための手段】
【００１６】
（１）本発明に係る第１の折りたたみ型の名刺は、長方形の第１のカード部と、前記第１のカード部と略同一形状の第２のカード部とからなり、前記第１および前記第２のカード部が長辺で連なり、該長辺で折り曲げ可能である。前記第１のカード部と前記第２のカード部とは、開状態において、両一方の面を共通の面にして連なり、かつ、両他方の面を共通の面にして連なり、前記第１のカード部は、前記長辺側を識別の上方向として、前記一方の面に少なくとも個人の名称が記載され、かつ、前記長辺側を識別の上方向として、前記他方の面に少なくとも他の情報が記載され、前記第２のカード部は、前記長辺側を識別の上方向として、前記一方の面に少なくとも他の情報が記載され、かつ、前記長辺側を識別の下方向として、前記他方の面に他の情報が記載され、前記長辺は、前記第１のカード部と前記第２のカード部とを切断可能にするミシン目加工が施されている。
【００１７】
この折りたたみ型の名刺は、個人の名称が記載された第１のカード部の一方の面を外側にして折りたたむことにより、第２のカード部の一方の面が外側に、第１および第２の他方の面が内側となる。第１のカード部と第２のカード部とは、折り曲げ可能な長辺側を、共通に識別の上方向としており、折りたたみ型の名刺は閉状態で両面名刺として機能する。
【００１８】
一方で、この折りたたみ型の名刺は、折り曲げ可能な長辺にミシン目加工が施され、ミシン目に沿って切断することにより、第１のカード部と第２のカード部に分離することができる。分離された第１のカード部は、一方の面および他方の面において、切断した長辺側を識別の上方向としている。すなわち、第１のカード部は、分離した状態で両面名刺として機能する。
【００１９】
このように、本発明の折りたたみ型の名刺によれば、名刺交換時の閉状態でも、名刺交換の後に名刺を分離した状態でも、両面名刺として機能する。
【００２０】
（２）本発明に係る第２の折りたたみ型の名刺は、長方形の第１のカード部と、前記第１のカード部と略同一形状の第２のカード部とからなり、前記第１および前記第２のカード部が長辺で連なり、該長辺で折り曲げ可能である。前記第１のカード部と前記第２のカード部とは、開状態において、両一方の面を共通の面にして連なり、かつ、両他方の面を共通の面にして連なり、前記第１のカード部は、前記長辺側を識別の下方向として、前記一方の面に少なくとも個人の名称が記載され、かつ、前記長辺側を識別の下方向として、前記他方の面に少なくとも他の情報が記載され、前記第２のカード部は、前記長辺側を識別の下方向として、前記一方の面に少なくとも他の情報が記載され、かつ、前記長辺側を識別の上方向として、前記他方の面に他の情報が記載され、前記長辺は、前記第１のカード部と前記第２のカード部とを切断容易にするミシン目加工が施されている。
【００２１】
この折りたたみ型の名刺は、個人の名称が記載された第１のカード部の一方の面を外側にして折りたたむことにより、第２のカード部の一方の面が外側に、第１および第２の他方の面が内側となる。第１のカード部と第２のカード部とは、折り曲げ可能な長辺側を、共通に識別の下方向としており、折りたたみ型の名刺は閉状態で両面名刺として機能する。
【００２２】
一方で、この折りたたみ型の名刺は、折り曲げ可能な長辺にミシン目加工が施され、ミシン目に沿って切断することにより、第１のカード部と第２のカード部に分離することができる。分離された第１のカード部は、一方の面および他方の面において、切断した長辺側を識別の下方向としている。すなわち、第１のカード部は、分離した状態で両面名刺として機能する。
【００２３】
このように、本発明の折りたたみ型の名刺によれば、名刺交換時の閉状態でも、名刺交換の後に名刺を分離した状態でも、両面名刺として機能する。
【００２４】
（３）本発明に係る第３の折りたたみ型の名刺は、長方形の第１のカード部と、前記第１のカード部と略同一形状の第２のカード部とからなり、前記第１および前記第２のカード部が短辺で連なり、該短辺で折り曲げ可能である。前記第１のカード部と前記第２のカード部とは、開状態において、両一方の面を共通の面にして連なり、かつ、両他方の面を共通の面にして連なり、前記第１のカード部は、前記短辺側を識別の上方向として、前記一方の面に少なくとも個人の名称が記載され、かつ、前記短辺側を識別の上方向として、前記他方の面に少なくとも他の情報が記載され、前記第２のカード部は、前記短辺側を識別の上方向として、前記一方の面に少なくとも他の情報が記載され、かつ、前記短辺側を識別の下方向として、前記他方の面に他の情報が記載され、前記短辺は、前記第１のカード部と前記第２のカード部とを切断容易にするミシン目加工が施されている。
【００２５】
（４）本発明に係る第４の折りたたみ型の名刺は、長方形の第１のカード部と、前記第１のカード部と略同一形状の第２のカード部とからなり、前記第１および前記第２のカード部が短辺で連なり、該短辺で折り曲げ可能な折りたたみ型の名刺であって、前記第１のカード部と前記第２のカード部とは、開状態において、両一方の面を共通の面にして連なり、かつ、両他方の面を共通の面にして連なり、前記第１のカード部は、前記短辺側を識別の下方向として、前記一方の面に少なくとも個人の名称が記載され、かつ、前記短辺側を識別の下方向として、前記他方の面に少なくとも他の情報が記載され、前記第２のカード部は、前記短辺側を識別の下方向として、前記一方の面に少なくとも他の情報が記載され、かつ、前記短辺側を識別の上方向として、前記他方の面に他の情報が記載され、前記短辺は、前記第１のカード部と前記第２のカード部とを切断容易にするミシン目加工が施されている。
【００２６】
このような折りたたみ型の名刺によれば、分離された第２のカード部にも個人の名称が記載されており、第２のカード部が、分離した状態で非常用の名刺として機能する。
【００２７】
前記第１のカード部の前記一方の面は、閉状態にて、名刺が左右方向に反転されるように案内する案内表記を有するとよい。上記の折りたたみ型名刺によれば、閉状態で名刺交換がされて、そのまま開状態とすると、名刺の内側面の識別方向が逆の状態となる。しかし、この案内標記に従って、名刺を裏返した後に、開くようにすれば、名刺の内側面の識別方向が正常な状態となる。
【発明の効果】
【００２８】
本発明に係る名刺は、折りたたみ可能かつ分離可能であり、折りたたんだ状態でも、分離した状態でも両面名刺として機能する。
【図面の簡単な説明】
【００２９】
【図１】本発明の第１の実施形態に係る折りたたみ型の名刺の斜視図である。
【図２】本発明の第１の実施の形態に係る折りたたみ型の名刺の開状態を示す平面図である。
【図３】本発明の第１の実施の形態に係る折りたたみ型の名刺の閉状態を示す平面図である。
【図４】本発明の第１の実施の形態に係る折りたたみ型の名刺の切り取った状態を示す平面図である。
【図５】本発明の第２の実施の形態に係る折りたたみ型の名刺の開状態を示す平面図である。
【図６】本発明の第２の実施の形態に係る折りたたみ型の名刺の閉状態を示す平面図である。
【図７】本発明の第２の実施の形態に係る折りたたみ型の名刺の切り取った状態を示す平面図である。
【図８】本発明の第３の実施の形態に係る折りたたみ型の名刺の開状態を示す平面図である。
【図９】本発明の第３の実施の形態に係る折りたたみ型の名刺の閉状態を示す平面図である。
【図１０】本発明の第３の実施の形態に係る折りたたみ型の名刺の切り取った状態を示す平面図である。
【図１１】本発明の第４の実施の形態に係る折りたたみ型の名刺の開状態を示す平面図である。
【図１２】本発明の第４の実施の形態に係る折りたたみ型の名刺の閉状態を示す平面図である。
【図１３】本発明の第４の実施の形態に係る折りたたみ型の名刺の切り取った状態を示す平面図である。
【図１４】従来の折たたみ型の名刺の開状態を示す平面図である。
【図１５】従来の折たたみ型の名刺の閉状態を示す平面図である。
【発明を実施するための形態】
【００３０】
本発明の実施の形態にかかる折りたたみ型の名刺について図面を参照して説明する。本実施例において、名刺とは、従来よく知られるように、平面視して縦寸法(上下方向の寸法)が５５ｍｍ、横寸法(左右方向の寸法)が９１ｍｍのカードを意味する。しかし、名刺の寸法は、交換用のカードとして機能すれば、これに限定されない。
【００３１】
折りたたみ型の名刺とは、折りたたんだ状態（以下、「閉状態」とも称する。）で名刺の寸法となるカードを意味する。また、折りたたみ型の名刺は、開いた状態(以下、「開状態」とも称する。)で、通常の名刺の略二倍の寸法を有する。
【００３２】
また、名刺に記載される情報は、少なくとも個人の名称を含み、これに加えて、一般的に、個人の所属する団体名称、所在地、電話番号、ＦＡＸ番号、メールアドレス等の個人情報を含む。また、名刺は、個人の考え、略歴、保有資格、写真等の個人に関する個人関連情報や、個人の所属する団体の理念、歴史、団体の所有資格等の団体に関する団体関連情報を含んでいてもよい。
【００３３】
［第１の実施形態］
【００３４】
図１〜図４を参照して、本発明の第１の実施の形態に係る折りたたみ型の名刺１００について説明する。図１は、折りたたみ型名刺１００の斜視図を示す。図２(Ａ)は、開状態の折たたみ型の名刺１００の表面を示し、図２(Ｂ)は、開状態の折たたみ型の名刺１００の裏面を示す。また、図３(Ａ)は、閉状態の折りたたみ型名刺１００の表面を示し、図３(Ｂ)は、閉状態の折りたたみ型の名刺１００の裏面を示す。さらに、図４(Ａ)は、分離した状態の折りたたみ型の名刺１００の第１のカード部１１０の表面を示し、図４(Ｂ)は、分離した状態の折りたたみ型の名刺１００の第１のカード部１１０の裏面を示し、図４(Ｃ)は、分離した状態の折りたたみ型の名刺１００の第２のカード部１２０の表面を示し、図４(Ｄ)は、分離した状態の折りたたみ型の名刺１００の第２のカード部１２０の裏面を示す。
【００３５】
説明を容易にするために、図２〜図４には、名刺１００に、方向を特定するための印Ｍが仮想的に記されている。例えば、印Ｍは、図２(Ａ)において、折りたたみ型の名刺１００の右上に記され、図２(Ｂ)において、折りたたみ型の名刺１００の左上に記されている。これにより、図２(Ａ)と図２(Ｂ)との関係は、名刺１００を左右方向にひっくり返した状態であること、すなわち、上下方向を維持したまま左右方向に反転されていることが特定される。
【００３６】
図１に示すように、本発明の第１の実施の形態に係る折りたたみ型の名刺１００は、第１のカード部１１０と、第２のカード部１２０と、折目部１３０とからなる。第１および第２のカード部１１０，１２０は同一の矩形の形状である。ここで同一とは、完全に寸法が同一の場合に限らず、数ミリ程度の誤差を含む。第１および第２のカード部１１０，１２０は、それぞれが名刺として機能する形状である。
【００３７】
図２に示すように、第１のカード部１１０および第２のカード部１２０は、折目部１３０を介して連結されており、一体的なカード１００ａを形成している。本実施の形態において、第１および第２のカード部１１０，１２０は、それぞれ、寸法を９１ｍｍとした長辺１１０ａ，１１０ｂ，１２０ａ，１２０ｂを有し、寸法を５５ｍｍとした短辺１１０ｃ，１１０ｄ，１２０ｃ，１２０ｄを有する。これにより、カード１００ａは、縦寸法１１０ｍｍ、横寸法９１ｍｍとなる。
【００３８】
折りたたみ型の名刺１００は、第１のカード部１１０の上側に第２のカード部１２０が位置し、折目部１３０は、各カード部１１０，１２０の長辺１１０ａ，１２０ａから形成されている。第１のカード部１１０と第２のカード部１２０とは、開状態において、両一方の面１１０ｆ，１２０ｆを表面とし、かつ、両他方の面１１０ｒ，１２０ｒを裏面として折目部１３０を介して連なっている。
【００３９】
第１のカード部１１０は、長辺１１０ａ側(長辺１１０ｂの反対側)を識別の上方向として、一方の面１１０ｆに少なくとも個人の名称１１１が記載され、かつ、長辺１１０ａ側を識別の上方向として、他方の面１１０ｒに少なくとも他の情報が記載されている。また、第２のカード部１２０は、長辺１２０ａ側(長辺１２０ｂの反対側)を識別の上方向として、一方の面１２０ｆに少なくとも他の情報が記載され、かつ、長辺１２０ａ側を識別の下方向として、他方の面１２０ｒに他の情報が記載されている。
【００４０】
本実施の形態において、第１のカード部１１０には、表面である一方の面１１０ｆ（図２（Ａ）参照）に、個人の名称１１１の他に、他の情報として団体名称、役職(肩書)、所在地、電話番号、ＦＡＸ番号、メールアドレスが記載されている。また、第１のカード部１１０には、これらに加え、閉状態の折りたたみ型の名刺１００で裏面となる第２のカード部１２０の一方の面１２０ｆ(図３を参照)へ誘導する(名刺を左右方向にひっくり返す)ように案内する案内表記１１２が記載されている。
【００４１】
さらに、第１のカード部１１０は、裏面である１１０ｒ（図２の（Ｂ）参照）に、他の情報として略歴、資格が記載されている。
【００４２】
また、本実施の形態において、第２のカード部１２０は、表面である一方の面１２０ｆ（図２の（Ａ）参照）に、他の情報として個人の写真、特技、経験が記載されている。また、第２のカード部１２０には、これらに加え、閉状態の折りたたみ型の名刺１００を開状態に誘導するように案内する案内表記１２２が記載されている。
【００４３】
さらに、第２のカード部１２０は、裏面である他方の面１２０ｒ（図２の（Ｂ）参照）に、個人の名称、および他の情報として団体名称、電話番号、メールアドレス、理念およびクーポン情報１２３が記載されている。他方の面１１０ｒ、１２０ｒは折りたたみ型名刺１００の内側面となる。
【００４４】
図３に示すように、折りたたみ型の名刺１００は、閉状態で第１のカード部１１０の一方の面１１０ｆを表面とし、第２のカード部１２０の一方の面１２０ｆを裏面として、かつ、それぞれの識別の上下方向を同一にしており、両面名刺として機能する。
【００４５】
本実施の形態において、第１のカード部１１０の一方の面１１０ｆは、閉状態の折りたたみ型の名刺１００を左右方向に裏返して第２のカード部１２０の一方の面１２０ｆに案内する案内表記１１２を有する。また、第２のカード部１２０の一方の面１２０ｆは、閉状態の折りたたみ型の名刺１００を開状態に案内する案内表記１２２を有する。
【００４６】
これにより、名刺交換時に、折りたたみ型の名刺１００を受けた受領者は、案内表記に従い折りたたみ型の名刺１００を開状態とする前に、左右方向に裏返し、その後、案内表記に従い折りたたみ型の名刺１００を開状態とする。折りたたみ型の名刺１００は、この順に案内することにより、識別の上下方向が変動することなく、名刺の情報を識別できる。
【００４７】
図４に示すように、折りたたみ型の名刺１００は、折目部１３０に沿って第１のカード部１１０と第２のカード部１２０とを切り離して分離できる。折目部１３０は、前記第１のカード部と前記第２のカード部とを切断容易にするミシン目加工が施されている。ミシン目加工のミシン目の寸法は、必要時には容易に切断でき、不要時には容易に切断されないように、適宜変更できる。折りたたみ型の名刺１００は、折目部１３０に沿って切断されることで、第１のカード部１１０と第２のカード部１２０の２枚のカードとして機能する。
【００４８】
第１のカード部１１０は、一方の面１１０ｆと他方の面１１０ｒとで識別の上下方向を同一としており、左右方向にひっくり返すことにより識別方向を同一にしている。これにより、切り離された第１のカード部１１０は、両面名刺として機能する。
【００４９】
第２のカード部１２０は、一方の面１２０ｆと他方の面１２０ｒとで識別の上下方向を逆としており、上下方向にひっくり返すことにより識別方向を同一にしている。これにより、切り離された第２のカード部１２０は、両面名刺としては機能しない。しかし、第２のカード部は、クーポン情報１２３を記載することで、クーポン券として回収することができる。したがって、第２のカード部１２０は、切り離された後に、両面名刺として機能しなくとも、不都合は生じない。
【００５０】
［第２の実施形態］
【００５１】
図５〜図７を参照して、本発明の第２の実施の形態に係る折りたたみ型の名刺２００について説明する。図５(Ａ)は、開状態の折たたみ型の名刺２００の表面を示し、図５(Ｂ)は、開状態の折たたみ型の名刺２００の裏面を示す。また、図６(Ａ)は、閉状態の折りたたみ型名刺２００の表面を示し、図６(Ｂ)は、閉状態の折りたたみ型の名刺２００の裏面を示す。さらに、図７(Ａ)は、分離した状態の折りたたみ型の名刺２００の第１のカード部２１０の表面を示し、図７(Ｂ)は、分離した状態の折りたたみ型の名刺２００の第１のカード部２１０の裏面を示し、図７(Ｃ)は、分離した状態の折りたたみ型の名刺２００の第２のカード部２２０の表面を示し、図７(Ｄ)は、分離した状態の折りたたみ型の名刺２００の第２のカード部２２０の裏面を示す。
【００５２】
説明を容易にするために、図５〜図７には、名刺２００に、方向を特定するための印Ｍが仮想的に記されている。例えば、印Ｍは、図５(Ａ)において、折りたたみ型の名刺２００の右上に記され、図５(Ｂ)には、折りたたみ型の名刺２００の左上に記されている。これにより、図５(Ａ)と図５(Ｂ)との関係は、名刺２００を左右方向にひっくり返した状態であること、すなわち、上下方向を維持したまま左右方向に反転されていることが特定される。
【００５３】
本発明の第２の実施の形態に係る折りたたみ型の名刺２００は、第1の実施の形態と同様に、第１のカード部２１０と、第２のカード部２２０と、折目部２３０とからなる。第１および第２のカード部２１０，２２０は同一の矩形の形状である。ここで同一とは、完全に寸法が同一の場合に限らず、数ミリ程度の誤差を含む。第１および第２のカード部２１０，２２０は、それぞれが名刺として機能する形状である。
【００５４】
図５に示すように、第１のカード部２１０および第２のカード部２２０は、折目部２３０を介して連結されており、一体的なカード２００ａを形成している。本実施の形態において、第１および第２のカード部２１０，２２０は、それぞれ、寸法を９１ｍｍとした長辺２１０ａ，２１０ｂ，２２０ａ，２２０ｂを有し、寸法を５５ｍｍとした短辺２１０ｃ，２１０ｄ，２２０ｃ，２２０ｄを有する。これにより、カード２００ａは、縦寸法１１０ｍｍ、横寸法９１ｍｍとなる。
【００５５】
折りたたみ型の名刺２００は、第１のカード部２１０の下側に第２のカード部２２０が位置し、折目部２３０は、各カード部２１０，２２０の長辺２１０ｂ，２２０ｂから形成されている。第１のカード部２１０と第２のカード部２２０とは、開状態において、両一方の面２１０ｆ，２２０ｆを表面とし、かつ、両他方の面２１０ｒ，２２０ｒを裏面として折目部２３０を介して連なっている。
【００５６】
第１のカード部２１０は、長辺２１０ａ側(長辺２１０ｂの反対側)を識別の上方向として、一方の面２１０ｆに少なくとも個人の名称２１１が記載され、かつ、長辺２１０ａ側を識別の上方向として、他方の面２１０ｒに少なくとも他の情報が記載されている。また、第２のカード部２２０は、長辺２２０ａ側(長辺２２０ｂの反対側)を識別の上方向として、一方の面２２０ｆに少なくとも他の情報が記載され、かつ、長辺２２０ａ側を識別の下方向として、他方の面２２０ｒに他の情報が記載されている。
【００５７】
本実施の形態において、第１のカード部２１０には、表面である一方の面２１０ｆ（図５（Ａ）参照）に、個人の名称２１１の他に、他の情報として団体名称、役職、所在地、電話番号、ＦＡＸ番号、メールアドレスが記載されている。また、第１のカード部２１０には、これらに加え、閉状態の折りたたみ型の名刺２００で裏面となる第２のカード部２２０の一方の面２２０ｆ(図６を参照)へ誘導する(名刺を左右方向にひっくり返す)ように案内する案内表記２１２が記載されている。
【００５８】
さらに、第１のカード部２１０は、裏面である２１０ｒ（図５の（Ｂ）参照）に、他の情報として略歴、資格が記載されている。
【００５９】
また、本実施の形態において、第２のカード部２２０は、表面である一方の面２２０ｆ（図５の（Ａ）参照）に、他の情報として個人の写真、特技、経験が記載されている。また、第２のカード部２２０には、これらに加え、閉状態の折りたたみ型の名刺２００を開状態に誘導するように案内する案内表記２２２が記載されている。
【００６０】
さらに、第２のカード部２２０は、裏面である他方の面２２０ｒ（図５の（Ｂ）参照）に、個人の名称、および他の情報として団体名称、電話番号、メールアドレス、理念およびクーポン情報２２３が記載されている。
【００６１】
図６に示すように、折りたたみ型の名刺２００は、閉状態で第１のカード部２１０の一方の面２１０ｆを表面とし、第２のカード部２２０の一方の面２２０ｆを裏面として、かつ、それぞれの識別の上下方向を同一にしており、両面名刺として機能する。
【００６２】
本実施の形態において、第１のカード部２１０の一方の面２１０ｆは、閉状態の折りたたみ型の名刺２００を左右方向に裏返し、第２のカード部２２０の一方の面２２０ｆに案内する案内表記２１２を有する。また、第２のカード部２２０の一方の面２２０ｆは、閉状態の折りたたみ型の名刺２００を開状態に案内する案内表記２２２を有する。
【００６３】
これにより、名刺交換時に、折りたたみ型の名刺２００を受けた受領者は、案内表記に従い折りたたみ型の名刺２００を開状態とする前に、左右方向に裏返し、その後、案内表記に従い折りたたみ型の名刺２００を開状態とする。折りたたみ型の名刺２００は、この順に案内することにより、識別方向を反転させることなく、名刺の情報を識別できる。
【００６４】
図７に示すように、折りたたみ型の名刺２００は、折目部２３０に沿って第１のカード部２１０と第２のカード部２２０とを切り離して分離できる。折目部２３０は、前記第１のカード部２１０と前記第２のカード部２２０とを切断容易にするミシン目加工が施されている。ミシン目加工のミシン目の間隔は、必要時には容易に切断でき、不要時には容易に切断されないように、適宜変更できる。折りたたみ型の名刺２００は、折目部２３０に沿って切断されることで、第１のカード部２１０と第２のカード部２２０の２枚のカードとして機能する。
【００６５】
第１のカード部２１０は、一方の面２１０ｆと他方の面２１０ｒとで識別の上下方向を同一としており、左右方向にひっくり返すことにより識別方向を同一にしている。これにより、切り離された第１のカード部２１０は、両面名刺として機能する。
【００６６】
第２のカード部２２０は、一方の面２２０ｆと他方の面２２０ｒとで識別の上下方向を逆としており、上下方向にひっくり返すことにより識別方向を同一にしている。これにより、切り離された第２のカード部２２０は、両面名刺としては機能しない。しかし、第２のカード部はクーポン情報２２３をすることで、クーポン券として回収することができる。したがって、第２のカード部２２０は、切り離された後に、両面名刺として機能しなくとも、不都合は生じない。
【００６７】
［第３の実施形態］
【００６８】
図８〜図１０を参照して、本発明の第３の実施の形態に係る折りたたみ型の名刺３００について説明する。図８(Ａ)は、開状態の折たたみ型の名刺３００の表面を示し、図８(Ｂ)は、開状態の折たたみ型の名刺３００の裏面を示す。また、図９(Ａ)は、閉状態の折りたたみ型名刺３００の表面を示し、図９(Ｂ)は、閉状態の折りたたみ型の名刺３００の裏面を示す。さらに、図１０(Ａ)は、分離した状態の折りたたみ型の名刺３００の第１のカード部３１０の表面を示し、図１０(Ｂ)は、分離した状態の折りたたみ型の名刺３００の第１のカード部３１０の裏面を示し、図１０(Ｃ)は、分離した状態の折りたたみ型の名刺３００の第２のカード部３２０の表面を示し、図１０(Ｄ)は、分離した状態の折りたたみ型の名刺３００の第２のカード部３２０の裏面を示す。
【００６９】
説明を容易にするために、図８〜図１０には、名刺３００に、方向を特定するための印Ｍが仮想的に記されている。例えば、印Ｍは、図８(Ａ)において、折りたたみ型の名刺３００の右上に記され、図８(Ｂ)において、折りたたみ型の名刺３００の左上に記されている。これにより、図８(Ａ)と図８(Ｂ)との関係は、名刺３００を左右方向にひっくり返した状態であること、すなわち、上下方向を維持したまま左右方向に反転されていることが特定される。
【００７０】
図８に示すように、本発明の第１の実施の形態に係る折りたたみ型の名刺３００は、第１のカード部３１０と、第２のカード部３２０と、折目部３３０とからなる。第１および第２のカード部３１０，３２０は同一の矩形の形状である。ここで同一とは、完全に寸法が同一の場合に限らず、数ミリ程度の誤差を含む。第１および第２のカード部３１０，３２０は、それぞれが名刺として機能する形状である。
【００７１】
図８に示すように、第１のカード部３１０および第２のカード部３２０は、折目部３３０を介して連結されており、一体的なカード３００aを形成している。本実施の形態において、第１および第２のカード部３１０，３２０は、それぞれ、寸法を９１ｍｍとした長辺を有し、寸法を５５ｍｍとした短辺を有する。これにより、カード３００aは、縦寸法１８２ｍｍ、横寸法５５ｍｍとなる。
【００７２】
折りたたみ型の名刺３００は、第１のカード部３１０の上側に第２のカード部３２０が位置し、折目部３３０は、第１のカード３１０の上側短辺と、第２のカード部３２０の下側短辺の結合部から形成されている。第１のカード部３１０と第２のカード部３２０とは、開状態において、両一方の面を表面とし、かつ、両他方の面を裏面として折目部３３０を介して連なっている。
【００７３】
第１のカード部３１０の各面には、第１の実施形態の第１のカード部１１０の各面と同様の情報が第１のカード部１１０と同一の識別方向で記載されている。また、第２のカード部３２０の各面には、第１の実施形態の第２のカード部１２０の各面と同様の情報が第２のカード部１２０と同一の識別方向で記載されている。
【００７４】
図９に示すように、折りたたみ型の名刺３００は、閉状態で第１のカード部３１０の一方の面を表面とし、第１のカード部３１０の一方の面に連なる第２のカード部３２０の一方の面を裏面として、かつ、それぞれの識別の上下方向を同一にしており、両面名刺として機能する。
【００７５】
本実施の形態において、第１のカード部３１０の一方の面は、閉状態の折りたたみ型の名刺３００を左右方向に裏返して第２のカード部３２０の一方の面に案内する案内表記３１２を有する。また、第２のカード部３２０の一方の面は、閉状態の折りたたみ型の名刺３００を開状態に案内する案内表記３２２を有する。
【００７６】
これにより、名刺交換時に、折りたたみ型の名刺３００を受けた受領者は、案内表記に従い折りたたみ型の名刺３００を開状態とする前に、左右方向に裏返し、その後、案内表記に従い折りたたみ型の名刺３００を開状態とする。折りたたみ型の名刺３００は、この順に案内することにより、識別の上下方向が変動することなく、名刺の情報を識別できる。
【００７７】
図１０に示すように、折りたたみ型の名刺３００は、折目部３３０に沿って第１のカード部３１０と第２のカード部３２０とを切り離して分離できる。折目部３３０は、前記第１のカード部と前記第２のカード部とを切断容易にするミシン目加工が施されている。ミシン目加工のミシン目の寸法は、必要時には容易に切断でき、不要時には容易に切断されないように、適宜変更できる。折りたたみ型の名刺３００は、折目部３３０に沿って切断されることで、第１のカード部３１０と第２のカード部３２０の２枚のカードとして機能する。
【００７８】
第１のカード部３１０は、一方の面と他方の面とで識別の上下方向を同一としており、左右方向にひっくり返すことにより識別方向を同一にしている。これにより、切り離された第１のカード部３１０は、両面名刺として機能する。
【００７９】
第２のカード部３２０は、一方の面と他方の面とで識別の上下方向を逆としており、上下方向にひっくり返すことにより識別方向を同一にしている。これにより、切り離された第２のカード部３２０は、両面名刺としては機能しない。しかし、第２のカード部は、クーポン情報３２３を記載することで、クーポン券として回収することができる。したがって、第２のカード部３２０は、切り離された後に、両面名刺として機能しなくとも、不都合は生じない。
【００８０】
［第４の実施形態］
【００８１】
図１１〜図１３を参照して、本発明の第３の実施の形態に係る折りたたみ型の名刺４００について説明する。図１１(Ａ)は、開状態の折たたみ型の名刺４００の表面を示し、図１１(Ｂ)は、開状態の折たたみ型の名刺４００の裏面を示す。また、図１２(Ａ)は、閉状態の折りたたみ型名刺４００の表面を示し、図１２(Ｂ)は、閉状態の折りたたみ型の名刺４００の裏面を示す。さらに、図１３(Ａ)は、分離した状態の折りたたみ型の名刺４００の第１のカード部４１０の表面を示し、図１３(Ｂ)は、分離した状態の折りたたみ型の名刺４００の第１のカード部４１０の裏面を示し、図１３(Ｃ)は、分離した状態の折りたたみ型の名刺４００の第２のカード部４２０の表面を示し、図１３(Ｄ)は、分離した状態の折りたたみ型の名刺４００の第２のカード部４２０の裏面を示す。
【００８２】
説明を容易にするために、図１１〜図１３には、名刺４００に、方向を特定するための印Ｍが仮想的に記されている。例えば、印Ｍは、図１１(Ａ)において、折りたたみ型の名刺４００の右上に記され、図１１(Ｂ)において、折りたたみ型の名刺４００の左上に記されている。これにより、図１１(Ａ)と図１１(Ｂ)との関係は、名刺４００を左右方向にひっくり返した状態であること、すなわち、上下方向を維持したまま左右方向に反転されていることが特定される。
【００８３】
図１１に示すように、本発明の第１の実施の形態に係る折りたたみ型の名刺４００は、第１のカード部４１０と、第２のカード部４２０と、折目部４３０とからなる。第１および第２のカード部４１０，４２０は同一の矩形の形状である。ここで同一とは、完全に寸法が同一の場合に限らず、数ミリ程度の誤差を含む。第１および第２のカード部３１０，３２０は、それぞれが名刺として機能する形状である。
【００８４】
図１１に示すように、第１のカード部４１０および第２のカード部４２０は、折目部４３０を介して連結されており、一体的なカード３００aを形成している。本実施の形態において、第１および第２のカード部４１０，４２０は、それぞれ、寸法を９１ｍｍとした長辺を有し、寸法を５５ｍｍとした短辺を有する。これにより、カード３００aは、縦寸法１８２ｍｍ、横寸法５５ｍｍとなる。
【００８５】
折りたたみ型の名刺４００は、第１のカード部４１０の下側に第２のカード部４２０が位置し、折目部４３０は、第１のカード３１０の下側短辺と、第２のカード部４２０の上側短辺の結合部から形成されている。第１のカード部４１０と第２のカード部４２０とは、開状態において、両一方の面を表面とし、かつ、両他方の面を裏面として折目部４３０を介して連なっている。
【００８６】
第１のカード部４１０の各面には、第２の実施形態の第１のカード部２１０の各面と同様の情報が第２のカード部２１０と同一の識別方向で記載されている。また、第２のカード部４２０の各面には、第２の実施形態の第２のカード部２２０の各面と同様の情報が第２のカード部２２０と同一の識別方向で記載されている。
【００８７】
図１２に示すように、折りたたみ型の名刺４００は、閉状態で第１のカード部４１０の一方の面を表面とし、第１のカード部４１０の一方の面に連なる第２のカード部４２０の一方の面を裏面として、かつ、それぞれの識別の上下方向を同一にしており、両面名刺として機能する。
【００８８】
本実施の形態において、第１のカード部４１０の一方の面は、閉状態の折りたたみ型の名刺４００を左右方向に裏返して第２のカード部４２０の一方の面に案内する案内表記４１２を有する。また、第２のカード部４２０の一方の面は、閉状態の折りたたみ型の名刺４００を開状態に案内する案内表記４２２を有する。
【００８９】
これにより、名刺交換時に、折りたたみ型の名刺４００を受けた受領者は、案内表記に従い折りたたみ型の名刺４００を開状態とする前に、左右方向に裏返し、その後、案内表記に従い折りたたみ型の名刺４００を開状態とする。折りたたみ型の名刺４００は、この順に案内することにより、識別の上下方向が変動することなく、名刺の情報を識別できる。
【００９０】
図１３に示すように、折りたたみ型の名刺４００は、折目部４３０に沿って第１のカード部４１０と第２のカード部４２０とを切り離して分離できる。折目部４３０は、前記第１のカード部と前記第２のカード部とを切断容易にするミシン目加工が施されている。ミシン目加工のミシン目の寸法は、必要時には容易に切断でき、不要時には容易に切断されないように、適宜変更できる。折りたたみ型の名刺４００は、折目部４３０に沿って切断されることで、第１のカード部４１０と第２のカード部４２０の２枚のカードとして機能する。
【００９１】
第１のカード部４１０は、一方の面と他方の面とで識別の上下方向を同一としており、左右方向にひっくり返すことにより識別方向を同一にしている。これにより、切り離された第１のカード部４１０は、両面名刺として機能する。
【００９２】
第２のカード部４２０は、一方の面と他方の面とで識別の上下方向を逆としており、上下方向にひっくり返すことにより識別方向を同一にしている。これにより、切り離された第２のカード部４２０は、両面名刺としては機能しない。しかし、第２のカード部は、クーポン情報４２３を記載することで、クーポン券として回収することができる。したがって、第２のカード部４２０は、切り離された後に、両面名刺として機能しなくとも、不都合は生じない。
【符号の説明】
【００９３】
１，１００，２００，３００，４００                      折りたたみ型の名刺
１０，１１０，２１０，３１０，４１０                    第１のカード部
１０ｆ，１１０ｆ，２１０ｆ              第１のカード部の一方の面
１０ｒ，１１０ｒ，２１０ｒ              第１のカード部の他方の面
２０，１２０，２２０，３２０，４２０                    第２のカード部
２０ｆ，１２０ｆ，２２０ｆ              第２のカード部の一方の面
２０ｒ，１２０ｒ，２２０ｒ              第２のカード部の他方の面
１３０，２３０，３３０，４３０                          折目部
１１０ａ，１２０ａ，２１０ｂ，２２０ｂ  カード部が連なる長辺
１１１，２１１                          個人の名称
１１２，１２２，２１２，２２２，３１２，３２２，４１２，４２２          案内表記
１２３，２２３，３２３，４２３                          クーポン表記
【図１】
2017149145.tif 000003
【図２】
2017149145.tif 000004
【図３】
2017149145.tif 000005
【図４】
2017149145.tif 000006
【図５】
2017149145.tif 000007
【図６】
2017149145.tif 000008
【図７】
2017149145.tif 000009
【図８】
2017149145.tif 000010
【図９】
2017149145.tif 000011
【図１０】
2017149145.tif 000012
【図１１】
2017149145.tif 000013
【図１２】
2017149145.tif 000014
【図１３】
2017149145.tif 000015
【図１４】
2017149145.tif 000016
【図１５】
2017149145.tif 000017